(57)【要約】      （修正有）【課題】管理室親機専用の通話路や集中管理室親機専用の通話路を確保する。【解決手段】集合住宅インターホンシステムは、来訪者が居住者または管理人を呼出して通話を成立させるための端末ＩＤを有する複数の集合玄関機と、来訪者からの呼出しに応答した管理人が通話を成立させるとともに管理人が居住者を呼出して通話を成立させるための端末ＩＤを有する複数の管理室親機と、来訪者または管理人からの呼出しに応答した居住者が通話を成立させるための複数の居室親機と、集合玄関機、管理室親機および居室親機間の呼出、通話をそれぞれ制御するための制御機を備えている。制御機は、集合玄関機および複数の通話路、管理室親機および複数の通話路を集合玄関機および管理室親機の端末ＩＤにそれぞれ割り当てるためのメモリと、呼出元の端末ＩＤに割り当てられた通話路を確保するための制御機とを有する。【選択図】図１
2006253954.tif 000002
【特許請求の範囲】
【請求項１】
来訪者が居住者または管理人を呼出して通話を成立させるための端末ＩＤを有する複数の集合玄関機（１ａ、１ｂ、１ｃ、１ｄ、・・・）と、来訪者からの呼出しに応答した管理人が通話を成立させるとともに管理人が居住者を呼出して通話を成立させるための端末ＩＤを有する複数の管理室親機（４ａ、４ｂ、４ｃ、・・・）と、来訪者または管理人からの呼出しに応答した居住者が通話を成立させるための複数の居室親機（３ａ、３ｂ、３ｃ、３ｄ、・・・）と、前記集合玄関機、前記管理室親機および前記居室親機間の呼出、通話をそれぞれ制御するための制御機（２）を備え、
前記制御機は、前記集合玄関機および前記制御機間に形成される複数の通話路（Ｌ１ａ、Ｌ１ｂ、・・・）、前記管理室親機および前記制御機間に形成される複数の通話路（Ｌ２ａ、Ｌ２ｂ、・・・）を前記集合玄関機および前記管理室親機の端末ＩＤにそれぞれ割り当てて記憶するための制御機メモリ（２ｅ）と、前記制御機メモリから読み出される呼出元の端末ＩＤに割り当てられた通話路を確保するための制御機ＣＰＵ（２ｆ）とを有することを特徴とする集合住宅インターホンシステム。
【請求項２】
来訪者が居住者または管理人を呼出して通話を成立させるための端末ＩＤを有する複数の集合玄関機（１ａ、１ｂ、１ｃ、１ｄ、・・・）と、来訪者からの呼出しに応答した管理人が通話を成立させるとともに管理人が居住者を呼出して通話を成立させるための端末ＩＤを有する複数の管理室親機（４ａ、４ｂ、４ｃ、・・・）と、来訪者または管理人からの呼出しに応答した居住者が通話を成立させるための複数の居室親機（３ａ、３ｂ、３ｃ、３ｄ、・・・）と、前記集合玄関機、前記管理室親機および前記居室親機間の呼出、通話をそれぞれ制御するための制御機（２）を備え、
前記制御機は、前記集合玄関機および前記制御機間、前記管理室親機および前記制御機間に形成される複数の通話路（Ｌ１ａ、Ｌ１ｂ、・・・、Ｌ２ａ、Ｌ２ｂ、・・・、・・・）のうち所定の端末が使用する通話路の本数を予め確保するため端末ＩＤと通話路確保数とを関連付けて記憶する制御機メモリ（２ｅ）と、前記複数の通話路のうち前記所定の端末以外の端末が使用している通話路数を監視し、前記制御機メモリに記憶された通話路確保数を超えて通話路を使用することを抑制するように制御する制御機ＣＰＵ（２ｆ）とを有することを特徴とする集合住宅インターホンシステム。
【請求項３】
来訪者が居住者または管理人を呼出して通話を成立させるための端末ＩＤを有する複数の棟集合玄関機（１０ａ、１０ｂ、１０ｃ、１０ｄ、・・・）と、来訪者からの呼出しに応答した管理人が通話を成立させるとともに管理人が居住者を呼出して通話を成立させるための端末ＩＤを有する複数の棟管理室親機（４０ａ、４０ｂ、４０ｃ、・・・）と、来訪者または管理人からの呼出しに応答した居住者が通話を成立させるための複数の居室親機（３ａ、３ｂ、３ｃ、３ｄ、・・・）と、前記棟集合玄関機、前記居室親機および前記棟管理室親機間の呼出、通話を制御する棟制御機（２０）と、来訪者が居住者または管理人を呼出して通話を成立させるための端末ＩＤを有する集中制御機（５０）と、前記集中制御機に接続され前記居室親機と通話を行うための集中集合玄関機（６０ａ、６０ｂ、６０ｃ、６０ｄ、・・・）と、来訪者からの呼出しに応答した管理人が通話を成立させるとともに管理人が居住者を呼出して通話を成立させるための端末ＩＤを有する複数の集中管理室親機（７０ａ、７０ｂ、７０ｃ、・・・）とを備え、
前記集中制御機は、前記集中集合玄関機および前記集中制御機間に形成される複数の通話路（Ｌ１０ａ、Ｌ１０ｂ、・・・）、前記集中管理室親機および前記集中制御機間に形成される複数の通話路（Ｌ２０ａ、Ｌ２０ｂ、・・・）を前記集中集合玄関機および前記集中管理室親機の端末ＩＤにそれぞれ割り当てて記憶するための集中制御機メモリ（５０ｅ）と、前記集中制御機メモリから読み出される呼出元の端末ＩＤに割り当てられた通話路を確保するための集中制御機ＣＰＵ（５０ｆ）とを有することを特徴とする集合住宅インターホンシステム。
【請求項４】
来訪者が居住者または管理人を呼出して通話を成立させるための端末ＩＤを有する複数の棟集合玄関機（１０ａ、１０ｂ、１０ｃ、１０ｄ、・・・）と、来訪者からの呼出しに応答した管理人が通話を成立させるとともに管理人が居住者を呼出して通話を成立させるための端末ＩＤを有する複数の棟管理室親機（４０ａ、４０ｂ、４０ｃ、・・・）と、来訪者または管理人からの呼出しに応答した居住者が通話を成立させるための複数の居室親機（３ａ、３ｂ、３ｃ、３ｄ、・・・）と、前記棟集合玄関機、前記居室親機および前記棟管理室親機間の呼出、通話を制御する棟制御機（２０）と、来訪者が居住者または管理人を呼出して通話を成立させるための端末ＩＤを有する集中制御機（５０）と、前記集中制御機に接続され前記居室親機と通話を行うための集中集合玄関機（６０ａ、６０ｂ、６０ｃ、６０ｄ、・・・）と、来訪者からの呼出しに応答した管理人が通話を成立させるとともに管理人が居住者を呼出して通話を成立させるための端末ＩＤを有する複数の集中管理室親機（７０ａ、７０ｂ、７０ｃ、・・・）とを備え、
前記集中制御機は、前記集中集合玄関機および前記集中制御機間、前記集中管理室親機および前記集中制御機間に形成される複数の通話路（Ｌ１０ａ、Ｌ１０ｂ、・・・、Ｌ２０ａ、Ｌ２０ｂ、・・・、・・・）のうち所定の端末が使用する通話路の本数を予め確保するため端末ＩＤと通話路確保数とを関連付けて記憶する集中制御機メモリ（５０ｅ）と、前記複数の通話路のうち前記所定の端末以外の端末が使用している通話路数を監視し、前記集中制御機メモリに記憶された通話路確保数を超えて通話路を使用することを抑制するように制御する集中制御機ＣＰＵ（５０ｆ）とを有することを特徴とする集合住宅インターホンシステム。
【請求項５】
前記居室親機および前記集中制御機間に形成される通話路数は、前記集中集合玄関機および前記集中制御機間、前記集中管理室親機および前記集中制御機間に形成される通話路数と少なくとも等数であることを特徴とする請求項３または請求項４記載の集合住宅インターホンシステム。
【発明の詳細な説明】
【技術分野】
【０００１】
本発明は、集合住宅インターホンシステムに係り、特に管理室親機専用の通話路や集中管理室親機専用の通話路を確保し、居住者と管理人との通話を確実に行なうことができる集合住宅インターホンシステムに関する。
【背景技術】
【０００２】
従来から、この種の集合住宅インターホンシステムとして、音声送受信回路を有する集合玄関機と、音声送受信回路を有する管理室親機と、各居室に設置され音声送受信回路を有する居室親機と、管理室親機、集合玄関機、居室親機の各端末を制御する制御機とで構成される集合住宅用省エネルギーインターホンシステムが知られている（例えば、特許文献１参照）。
【０００３】
ここで、制御機は、各端末間と通信を行うためのデータ送受信回路と、各端末間と通話を行うための通話路を形成する制御機音声送受信回路と、制御機音声送受信回路の制御を行う通話路制御回路と、データ送受信回路、通話路制御回路の制御を行う制御回路と、制御回路により制御され制御回路が各端末からデータを受け取ることにより制御機音声送受信回路と各端末の各音声送受信回路に電源を送る制御を行う音声系電源制御回路とを備えている。
【０００４】
【特許文献１】特開２００１−２７４９１３号公報（段落番号「０００９」、「００１０」、図１）
【発明の開示】
【発明が解決しようとする課題】
【０００５】
しかしながら、このような構成の集合住宅インターホンシステムにおいては、複数の通話路があっても、先着順で通話路がふさがれてしまうので、例えば居住者が重要な用事があり、管理人とすぐに連絡をとりたくてもとれない虞があった。
【０００６】
本発明は、上述の難点を解消するためになされたもので、管理室親機専用の通話路や集中管理室親機専用の通話路を確保し、居住者と管理人との通話を確実に行なうことができる集合住宅インターホンシステムを提供することを目的とする。
【課題を解決するための手段】
【０００７】
本発明は上述の難点を解消するためになされたもので、本発明の第１の態様である集合住宅インターホンシステムは、来訪者が居住者または管理人を呼出して通話を成立させるための端末ＩＤを有する複数の集合玄関機と、来訪者からの呼出しに応答した管理人が通話を成立させるとともに管理人が居住者を呼出して通話を成立させるための端末ＩＤを有する複数の管理室親機と、来訪者または管理人からの呼出しに応答した居住者が通話を成立させるための複数の居室親機と、集合玄関機、管理室親機および居室親機間の呼出、通話をそれぞれ制御するための制御機を備え、制御機は、集合玄関機および制御機間に形成される複数の通話路、管理室親機および制御機間に形成される複数の通話路を集合玄関機および管理室親機の端末ＩＤにそれぞれ割り当てて記憶するための制御機メモリと、制御機メモリから読み出される呼出元の端末ＩＤに割り当てられた通話路を確保するための制御機ＣＰＵとを有するものである。
【０００８】
本発明の第２の態様である集合住宅インターホンシステムは、来訪者が居住者または管理人を呼出して通話を成立させるための端末ＩＤを有する複数の集合玄関機と、来訪者からの呼出しに応答した管理人が通話を成立させるとともに管理人が居住者を呼出して通話を成立させるための端末ＩＤを有する複数の管理室親機と、来訪者または管理人からの呼出しに応答した居住者が通話を成立させるための複数の居室親機と、集合玄関機、管理室親機および居室親機間の呼出、通話をそれぞれ制御するための制御機を備え、制御機は、集合玄関機および制御機間、管理室親機および制御機間に形成される複数の通話路のうち所定の端末が使用する通話路の本数を予め確保するため端末ＩＤと通話路確保数とを関連付けて記憶する制御機メモリと、複数の通話路のうち所定の端末以外の端末が使用している通話路数を監視し、制御機メモリに記憶された通話路確保数を超えて通話路を使用することを抑制するように制御する制御機ＣＰＵとを有するものである。
【０００９】
本発明の第３の態様である集合住宅インターホンシステムは、来訪者が居住者または管理人を呼出して通話を成立させるための端末ＩＤを有する複数の棟集合玄関機と、来訪者からの呼出しに応答した管理人が通話を成立させるとともに管理人が居住者を呼出して通話を成立させるための端末ＩＤを有する複数の棟管理室親機と、来訪者または管理人からの呼出しに応答した居住者が通話を成立させるための複数の居室親機と、棟集合玄関機、居室親機および棟管理室親機間の呼出、通話を制御する棟制御機と、来訪者が居住者または管理人を呼出して通話を成立させるための端末ＩＤを有する集中制御機と、集中制御機に接続され居室親機と通話を行うための集中集合玄関機と、来訪者からの呼出しに応答した管理人が通話を成立させるとともに管理人が居住者を呼出して通話を成立させるための端末ＩＤを有する複数の集中管理室親機とを備え、集中制御機は、集中集合玄関機および集中制御機間に形成される複数の通話路、集中管理室親機および集中制御機間に形成される複数の通話路を集中集合玄関機および集中管理室親機の端末ＩＤにそれぞれ割り当てて記憶するための集中制御機メモリと、集中制御機メモリから読み出される呼出元の端末ＩＤに割り当てられた通話路を確保するための集中制御機ＣＰＵとを有するものである。
【００１０】
本発明の第４の態様である集合住宅インターホンシステムは、来訪者が居住者または管理人を呼出して通話を成立させるための端末ＩＤを有する複数の棟集合玄関機と、来訪者からの呼出しに応答した管理人が通話を成立させるとともに管理人が居住者を呼出して通話を成立させるための端末ＩＤを有する複数の棟管理室親機と、来訪者または管理人からの呼出しに応答した居住者が通話を成立させるための複数の居室親機と、棟集合玄関機、居室親機および棟管理室親機間の呼出、通話を制御する棟制御機と、来訪者が居住者または管理人を呼出して通話を成立させるための端末ＩＤを有する集中制御機と、集中制御機に接続され居室親機と通話を行うための集中集合玄関機と、来訪者からの呼出しに応答した管理人が通話を成立させるとともに管理人が居住者を呼出して通話を成立させるための端末ＩＤを有する複数の集中管理室親機とを備え、集中制御機は、集中集合玄関機および集中制御機間、集中管理室親機および集中制御機間に形成される複数の通話路のうち所定の端末が使用する通話路の本数を予め確保するため端末ＩＤと通話路確保数とを関連付けて記憶する集中制御機メモリと、複数の通話路のうち所定の端末以外の端末が使用している通話路数を監視し、集中制御機メモリに記憶された通話路確保数を超えて通話路を使用することを抑制するように制御する集中制御機ＣＰＵとを有するものである。
【００１１】
本発明の第５の態様は、第１の態様または第３の態様である集合住宅インターホンシステムにおいて、居室親機および集中制御機間に形成される通話路数は、集中集合玄関機および集中制御機間、集中管理室親機および集中制御機間に形成される通話路数と少なくとも等数としたものである。
【発明の効果】
【００１２】
本発明の第１の態様乃至第５の態様の集合住宅インターホンシステムによれば、制御機（若しくは集中制御機）の制御により、管理室親機（若しくは集中管理室親機）専用の通話路を確保することができることから、緊急時においても、居住者は管理人と通話を確実に行なうことができる。
【発明を実施するための最良の形態】
【００１３】
以下、本発明の集合住宅インターホンシステムを適用した好ましい実施の形態例について、図面を参照して詳述する。
［第１の実施例］
図１は、本発明の第１の実施例における集合住宅インターホンシステムのシステム構成図である。
【００１４】
同図において、第１の実施例における集合住宅インターホンシステムは、集合住宅のエントランスに設置され、来訪者が居住者または管理人を呼出して通話を成立させるための端末ＩＤを有する第１〜第４の集合玄関機１ａ〜１ｄと、管理室に設置され、来訪者からの呼出しに応答した管理人が通話を成立させるとともに管理人が居住者を呼出して通話を成立させるための端末ＩＤを有する第１〜第３の管理室親機４ａ〜４ｃと、集合住宅の例えばＡ棟とＢ棟の各住戸にそれぞれ設置され、来訪者または管理人からの呼出しに応答した居住者が通話を成立させるための第１〜第４の居室親機３ａ〜３ｄと、集合玄関機、管理室親機および居室親機間の呼出、通話をそれぞれ制御するための制御機２とを備えている。
【００１５】
制御機２は、第１〜第４の通信回路２ａ〜２ｄと、後述する集合玄関機および制御機間に形成される複数の通話路、並びに後述する管理室親機および制御機間に形成される複数の通話路を集合玄関機および管理室親機の端末ＩＤにそれぞれ割り当てて記憶するための制御機メモリ２ｅと、制御機メモリから読み出される呼出元の端末ＩＤに割り当てられた通話路を確保するための制御機ＣＰＵ２ｆとを備えている。
【００１６】
ここで、制御機ＣＰＵ２ｆは、第１〜第４の通信回路２ａ〜２ｄおよびメモリ２ｅに接続され、第１の通信回路２ａには第１伝送路Ｌ１を介して第１〜第４の集合玄関機１ａ〜１ｄが、第２の通信回路２ｂには第２の伝送路Ｌ２を介して第１〜第３の管理室親機４ａ〜４ｃが、第３の通信回路２ｃには第３の伝送路Ｌ３を介してＡ棟の第１〜第４の居室親機３ａ〜３ｄが、第４の通信回路２ｄには第４の伝送路Ｌ４を介してＢ棟の第１〜第４の居室親機３ａ〜３ｄがそれぞれ接続されている。
【００１７】
次に、このように構成された本発明の集合住宅インターホンシステムの動作について説明する。
【００１８】
先ず、この実施例においては、図２に示すように、第１の伝送路Ｌ１には第１、第２の通話路（以下「第１、第２の集合玄関機通話路」という。）Ｌ１ａ、Ｌ１ｂが、第２の伝送路Ｌ２には第１、第２の通話路（以下「第１、第２の管理室親機通話路」という。）Ｌ２ａ、Ｌ２ｂがそれぞれ含まれており、これらの第１、第２の集合玄関機通話路Ｌ１ａ、Ｌ１ｂおよび第１、第２の管理室親機通話路Ｌ２ａ、Ｌ２ｂの使用可能な端末は、集合玄関機並びに管理室親機の端末ＩＤにそれぞれ割り当てられて制御機メモリ２ｅに記憶されている。ここでは、第１、第２の集合玄関機通話路Ｌ１ａ、Ｌ１ｂは全ての集合玄関機１ａ〜１ｄが使用できるものとして制御機メモリ２ｅに記憶され、また、第１、第２の管理室親機通話路Ｌ２ａ、Ｌ２ｂは全ての管理室親機４ａ〜４ｃが使用できるものとして制御機メモリ２ｅに記憶されている。
【００１９】
次に、第３の伝送路Ｌ３には第１、第２の通話路（以下「第１、第２のＡ棟居室親機通話路」という。）Ｌ３ａ、Ｌ３ｂが含まれており、第１、第２のＡ棟居室親機通話路Ｌ３ａ、Ｌ３ｂはＡ棟の第１〜第４の居室親機３ａ〜３ｄのみが使用でき、また、第４の伝送路Ｌ４には第１、第２の通話路（以下「第１、第２のＢ棟居室親機通話路」という。）Ｌ４ａ、Ｌ４ｂが含まれており、第１、第２のＢ棟居室親機通話路Ｌ４ａ、Ｌ４ｂはＢ棟の第１〜第４の居室親機３ａ〜３ｄのみが使用できるものとして割り当てられている。
【００２０】
このような状態において、ある来訪者(以下「第１の来訪者」という。)が、例えばＡ棟の第１の居室親機（以下「第１のＡ棟居室親機」という。）３ａに係る居住者(以下「第１のＡ棟居住者」という。)を呼び出すために、第１の集合玄関機１ａの呼出操作部（不図示）で第１のＡ棟居室親機３ａに予め割り当てられている居室番号（以下「第１のＡ棟居室番号」という。）を選択し、呼出ボタン（不図示）を押下すると、呼出元である第１の集合玄関機１ａの端末ＩＤおよび呼出先である第１のＡ棟居室親機３ａの端末ＩＤを含有する呼出信号(以下「第１のＡ棟呼出信号」という。)が第１の伝送路Ｌ１および第１の通信回路２ａを介して制御機ＣＰＵ２ｆへ送信される。
【００２１】
かかる第１のＡ棟呼出信号が制御機ＣＰＵ２ｆで検出されると、制御機メモリ２ｅから呼出元である第１の集合玄関機１ａの端末ＩＤが読みだされて、図２に示す第１の集合玄関機通話路Ｌ１ａが第１の集合玄関機１ａの通話路として確保される。また、これとともに第１のＡ棟呼出信号が第３の通信回路２ｃおよび第１のＡ棟居室親機通話路Ｌ３ａを介して第１のＡ棟居室親機３ａへ伝送され、かかる第１のＡ棟呼出信号が第１のＡ棟居室親機３ａで検出されると、第１のＡ棟居室親機３ａのスピーカ（不図示）から呼出音が放音され、ここで、来訪者からの呼び出しを確認した第１のＡ棟居住者がハンドセット（不図示）などを取上げて応答操作を行なうと、図２および図３に示すように、第１の玄関機通話路Ｌ１ａ、制御機２および第１のＡ棟居室親機通話路Ｌ３ａを介して第１のＡ棟居室親機３ａの通話機能と第１の集合玄関機１ａの通話機能との間に通話路(以下「第１のＡ棟通話路」という。)が形成される。
【００２２】
次に、第１のＡ棟通話路が形成されている状態において、すなわち、第２の玄関機通話路Ｌ１ｂが空いている状態において、他の来訪者(以下「第２の来訪者」という。)が、例えばＡ棟の第２の居室親機（以下「第２のＡ棟居室親機」という。）３ｂに係る居住者(以下「第２のＡ棟居住者」という。)を呼び出すために、第２の集合玄関機１ｂの呼出操作部（不図示）で第２のＡ棟居室親機３ｂに予め割り当てられている居室番号（以下「第２のＡ棟居室番号」という。）を選択し、呼出ボタン（不図示）を押下すると、呼出元である第２の集合玄関機１ｂの端末ＩＤおよび呼出先である第２のＡ棟居室親機３ｂの端末ＩＤを含有する呼出信号(以下「第２のＡ棟呼出信号」という。)が第１のＡ棟呼出信号と同様の経路を経由して制御機ＣＰＵ２ｆへ送信される。
【００２３】
かかる第２のＡ棟呼出信号が制御機ＣＰＵ２ｆで検出されると、制御機メモリ２ｅから呼出元である第２の集合玄関機１ｂの端末ＩＤが読みだされて、図２に示す第２の集合玄関機通話路Ｌ１ｂが第２の集合玄関機１ｂの通話路として確保される。また、これとともに第２のＡ棟呼出信号が第３の通信回路２ｃおよび第２のＡ棟居室親機通話路Ｌ３ｂを介して第２のＡ棟居室親機３ｂへ伝送され、かかる第２のＡ棟呼出信号が第２のＡ棟居室親機３ｂで検出されると、第２のＡ棟居室親機３ｂのスピーカ（不図示）から呼出音が放音され、ここで、来訪者からの呼び出しを確認した第２のＡ棟居住者がハンドセット（不図示）などを取上げて応答操作を行なうと、図２および図３に示すように、第２の玄関機通話路Ｌ１ｂ、制御機２および第２のＡ棟居室親機通話路Ｌ３ｂを介して第２のＡ棟居室親機３ｂの通話機能と第２の集合玄関機１ｂの通話機能との間に通話路(以下「第２のＡ棟通話路」という。)が形成される。
【００２４】
次いで、第１、第２のＡ棟通話路が形成されている状態において、すなわち、第１、第２の玄関機通話路Ｌ１ａ、Ｌ１ｂが使用されている状態において、他の来訪者(以下「第３の来訪者」という。)が、例えばＢ棟の第１の居室親機（以下「第１のＢ棟居室親機」という。）３ａに係る居住者(以下「第１のＢ棟居住者」という。)を呼び出すために、第３の集合玄関機１ｃの呼出操作部（不図示）で第１のＢ棟居室親機３ａに予め割り当てられている居室番号（以下「第１のＢ棟居室番号」という。）を選択し、呼出ボタン（不図示）を押下すると、呼出元である第３の集合玄関機１ｃの端末ＩＤおよび呼出先である第１のＢ棟居室親機３ａの端末ＩＤを含有する呼出信号(以下「第１のＢ棟呼出信号」という。)が第１の伝送路Ｌ１および第１の通信回路２ａを介して制御機ＣＰＵ２ｆへ送信される。
【００２５】
かかる第１のＢ棟呼出信号が制御機ＣＰＵ２ｆで検出されると、制御機メモリ２ｅから呼出元である第３の集合玄関機１ｃの端末ＩＤが読みだされるものの、図２に示す第１の集合玄関機通話路Ｌ１ａが第１の集合玄関機１ａの通話路として確保され、また、第２の集合玄関機通話路Ｌ１ｂが第２の集合玄関機１ｂの通話路として確保されているため、図３に示すように、通話路が使用できないことになる。従って、この状態においては、第３の来訪者は第１のＢ棟居住者を呼び出すことができないことになる。
【００２６】
また、第１、第２のＡ棟通話路が形成されている状態において、すなわち、第１、第２の玄関機通話路Ｌ１ａ、Ｌ１ｂが使用されている状態において、他の来訪者(以下「第４の来訪者」という。)が、例えばＢ棟の第２の居室親機（以下「第２のＢ棟居室親機」という。）３ｂに係る居住者(以下「第２のＢ棟居住者」という。)を呼び出すために、第４の集合玄関機１ｄの呼出操作部（不図示）で第２のＢ棟居室親機３ｂに予め割り当てられている居室番号（以下「第２のＢ棟居室番号」という。）を選択し、呼出ボタン（不図示）を押下した場合も同様に呼び出すことができない。
【００２７】
一方、第１、第２のＡ棟通話路が形成されている状態において、すなわち、第１、第２の玄関機通話路Ｌ１ａ、Ｌ１ｂが使用されている状態において、ある管理人(以下「第１の管理人」という。)が、例えば第１のＢ棟居住者を呼び出すために、第１の管理室親機４ａの呼出操作部（不図示）で第１のＢ棟居室番号を選択し、呼出ボタン（不図示）を押下すると、呼出元である第１の管理室親機４ａの端末ＩＤおよび呼出先である第１のＢ棟居室親機３ａの端末ＩＤを含有する呼出信号(以下「第１の管理人呼出信号」という。)が第２の伝送路Ｌ２および第２の通信回路２ｂを介して制御機ＣＰＵ２ｆへ送信される。
【００２８】
かかる第１の管理人呼出信号が制御機ＣＰＵ２ｆで検出されると、制御機メモリ２ｅから呼出元である第１の管理室親機４ａの端末ＩＤが読みだされて、図２に示す第１の管理室親機通話路Ｌ２ａが第１の管理室親機４ａの通話路として確保される。また、これとともに第１の管理人呼出信号が第４の通信回路２ｄおよび第１のＢ棟居室親機通話路Ｌ４ａを介して第１のＢ棟居室親機３ａへ伝送され、かかる第１の管理人呼出信号が第１のＢ棟居室親機３ａで検出されると、第１のＢ棟居室親機３ａのスピーカ（不図示）から呼出音が放音され、ここで、第１の管理人からの呼び出しを確認した第１のＢ棟居住者がハンドセット（不図示）などを取上げて応答操作を行なうと、図２および図３に示すように、第１の管理室親機通話路Ｌ２ａ、制御機２および第１のＢ棟居室親機通話路Ｌ４ａを介して第１のＢ棟居室親機３ａの通話機能と第１の管理室親機４ａの通話機能との間に通話路(以下「第１の管理室通話路」という。)が形成される。
【００２９】
次に、第１の管理室通話路が形成されている状態において、すなわち、第２の管理室親機通話路Ｌ２ｂが空いている状態において、他の管理人(以下「第２の管理人」という。)が、例えば第２のＢ棟居住者を呼び出すために、第２の管理室親機４ｂの呼出操作部（不図示）で第２のＢ棟居室番号を選択し、呼出ボタン（不図示）を押下すると、呼出元である第２の管理室親機４ｂの端末ＩＤおよび呼出先である第２のＢ棟居室親機３ｂの端末ＩＤを含有する呼出信号(以下「第２の管理人呼出信号」という。)が第１の管理人呼出信号と同様の経路を経由して制御機ＣＰＵ２ｆへ送信される。
【００３０】
かかる第２の管理人呼出信号が制御機ＣＰＵ２ｆで検出されると、制御機メモリ２ｅから呼出元である第２の管理室親機４ｂの端末ＩＤが読みだされて、図２に示す第２の管理室親機通話路Ｌ２ｂが第２の管理室親機４ｂの通話路として確保される。また、これとともに第２の管理人呼出信号が第４の通信回路２ｄおよび第２のＢ棟居室親機通話路Ｌ４ｂを介して第２のＢ棟居室親機３ｂへ伝送され、かかる第２の管理人呼出信号が第２のＢ棟居室親機３ｂで検出されると、第２のＢ棟居室親機３ｂのスピーカ（不図示）から呼出音が放音され、ここで、第２の管理人からの呼び出しを確認した第２のＢ棟居住者がハンドセット（不図示）などを取上げて応答操作を行なうと、図２および図３に示すように、第２の管理室親機通話路Ｌ２ｂ、制御機２および第２のＢ棟居室親機通話路Ｌ４ｂを介して第２のＢ棟居室親機３ｂの通話機能と第２の管理室親機４ｂの通話機能との間に通話路(以下「第２の管理室通話路」という。)が形成される。
【００３１】
以上のように、本発明の第１の実施例においては、管理室親機専用の通話路が確保されていることから、管理人は緊急時において特定の居住者と通話を行なうことができる。
［第２の実施例］
図４は、本発明の第２の実施例における各機器間の通話路の形成状態を示す説明図である。なお、図１〜図３と共通する部分には同一の符号を付して詳細な説明を省略する。
【００３２】
この実施例においては、図４に示すように、第１の伝送路Ｌ１には第１〜第４の通話路（以下「第１〜第４の集合玄関機通話路」という。）Ｌ１ａ〜Ｌ１ｄが、第２の伝送路Ｌ２には第１〜第４の通話路（以下「第１〜第４の管理室親機通話路」という。）Ｌ２ａ〜Ｌ２ｄがそれぞれ含まれており、第１の集合玄関機通話路Ｌ１ａと第１の管理室親機通話路Ｌ２ａは第１の共通線（不図示）で、第２の集合玄関機通話路Ｌ１ｂと第２の管理室親機通話路Ｌ２ｂは第２の共通線（不図示）で、第３の集合玄関機通話路Ｌ１ｃと第３の管理室親機通話路Ｌ２ｃは第３の共通線（不図示）で、第４の集合玄関機通話路Ｌ１ｄと第４の管理室親機通話路Ｌ２ｄは第４の共通線（不図示）でそれぞれ構成されている。また、これらの第１〜第４の集合玄関機通話路Ｌ１ａ〜Ｌ１ｄおよび第１〜第４の管理室親機通話路Ｌ２ａ〜Ｌ２ｄのうち所定の端末が使用する通話路の本数を予め確保するため端末ＩＤと通話路確保数とが関連付けて制御機メモリ２ｅに記憶されている。
【００３３】
ここでは、制御機２は、制御機メモリ２ｅに、例えば、第１〜第３の管理室親機４ａ〜４ｃ、制御機２間の通話路確保数を「２」と記憶し、全体として最大４通話路を制御できるものとして構成されている。
【００３４】
このように記憶された状態において、第１の実施例と同様にして、第１の訪問者が第１の集合玄関機１ａで第１のＡ棟居住者を呼び出すと、制御機ＣＰＵ２ｆの制御により、第１〜第４の集合玄関機通話路Ｌ１ａ〜Ｌ１ｄのうちランダムに一つの通話路（例えば第１の集合玄関機通話路Ｌ１ａ）が塞がれる。ここで、制御機２は、制御機メモリ２ｅに、使用している端末ＩＤ(呼出元の第１の集合玄関機１ａのＩＤおよび呼出先の第１のＡ棟居室親機３ａのＩＤ）とともに使用している通話路情報（第１の集合玄関機通話路Ｌ１ａ）を関連付けて記憶させておく。
【００３５】
同様にして、第２の訪問者が第２の集合玄関機１ｂで第２のＡ棟居住者を呼び出すと、制御機ＣＰＵ２ｆの制御により、第２〜第４の集合玄関機通話路Ｌ１ｂ〜Ｌ１ｄのうちランダムに一つの通話路（例えば第２の集合玄関機通話路Ｌ１ｂ）が塞がれる。ここで、制御機２は、前述と同様に、制御機メモリ２ｅに、使用している端末ＩＤ(呼出元の第２の集合玄関機１ｂのＩＤおよび呼出先の第２のＡ棟居室親機３ｂのＩＤ）とともに使用している通話路情報（第２の集合玄関機通話路Ｌ１ｂ）を関連付けて記憶させておく。
【００３６】
しかしながら、第１、第２の集合玄関機１ａ、１ｂが第１、第２の集合玄関機通話路Ｌ１ａ、Ｌ１ｂを使用している間は、第３の訪問者が第３の集合玄関機１ｃで第３のＡ棟居住者を呼び出しても、制御機メモリ２ｅに、第１〜第３の管理室親機４ａ〜４ｃ、制御機２間の通話路確保数が「２」と記憶されているので、残りの通話路（第３、第４の集合玄関機通話路Ｌ１ｃ、Ｌ１ｄ）を使用することができず、ひいては第３の訪問者は第３のＡ棟居住者を呼び出すことができないことになる。なお、この状態においては、第３の訪問者が第４の集合玄関機１ｄで第３のＡ棟居住者を呼び出しても、前述と同様に、第３のＡ棟居住者を呼び出すことができない。
【００３７】
一方、第１、第２の集合玄関機１ａ、１ｂが第１、第２の集合玄関機通話路Ｌ１ａ、Ｌ１ｂを使用している状態においても、第１〜第３の管理室親機４ａ〜４ｃ、制御機２間の通話路が２つ確保されていることから、第１の管理人若しくは第２の管理人は第１の実施例と同様にして、第１、第２の居住者を除く他の居住者を呼び出すことができる。すなわち、第１の管理人が第１の管理室親機４ａで第１のＢ棟居住者を呼び出すと、制御機ＣＰＵ２ｆの制御により、第３、第４の管理室親機通話路Ｌ２ｃ、Ｌ２ｄの２通話路うちランダムに一つの通話路（例えば第３の管理室親機通話路Ｌ２ｃ）が塞がれる。ここで、制御機２は、制御機メモリ２ｅに、使用している端末ＩＤ(呼出元の第１の管理室親機４ａのＩＤおよび呼出先の第１のＢ棟居室親機３ａのＩＤ）とともに使用している通話路情報（第３の管理室親機通話路Ｌ２ｃ）を関連付けて記憶させておく。
【００３８】
同様にして、第２の管理人が第２の管理室親機４ｂで第２のＢ棟居住者を呼び出すと、制御機ＣＰＵ２ｆの制御により、残りの第４の管理室親機通話路Ｌ２ｄが塞がれる。ここで、制御機２は、前述と同様に、制御機メモリ２ｅに、使用している端末ＩＤ(呼出元の第２の管理室親機４ｂのＩＤおよび呼出先の第２のＢ棟居室親機３ｂのＩＤ）とともに使用している通話路情報（第４の管理室親機通話路Ｌ２ｄ）を関連付けて記憶させておく。
【００３９】
以上のように、第２の実施例においても、管理室親機専用の通話路が確保されていることから、管理人は緊急時において特定の居住者と通話を行なうことができる。
［第３の実施例］
図５は、本発明の第３の実施例における集合住宅インターホンシステムのシステム構成図である。なお、図１〜図３と共通する部分には同一の符号を付して詳細な説明を省略する。
【００４０】
同図において、第３の実施例における集合住宅インターホンシステムは、集合住宅の各棟のエントランスに設置され、来訪者が居住者または管理人を呼出して通話を成立させるための端末ＩＤを有する第１〜第４の棟集合玄関機１０ａ〜１０ｄと、集合住宅の各棟の管理室に設置され、来訪者からの呼出しに応答した管理人が通話を成立させるとともに管理人が居住者を呼出して通話を成立させるための端末ＩＤを有する第１〜第３の棟管理室親機４０ａ〜４０ｃと、集合住宅の例えばＡ棟とＢ棟の各住戸にそれぞれ設置され、来訪者または管理人からの呼出しに応答した居住者が通話を成立させるための第１〜第４の居室親機３ａ〜３ｄと、棟集合玄関機、居室親機および棟管理室親機間の呼出、通話を制御する棟制御機２０と、来訪者が居住者または管理人を呼出して通話を成立させるための端末ＩＤを有する集中制御機５０と、集中制御機に接続され居室親機と通話を行うための第１〜第４の集中集合玄関機６０ａ〜６０ｄと、来訪者からの呼出しに応答した管理人が通話を成立させるとともに管理人が居住者を呼出して通話を成立させるための端末ＩＤを有する第１〜第３の集中管理室親機７０ａ〜７０ｃとを備えている。
【００４１】
集中制御機５０は、第１〜第４の通信回路５０ａ〜５０ｄと、後述する集中集合玄関機および集中制御機間に形成される複数の通話路、並びに後述する集中管理室親機および集中制御機間に形成される複数の通話路を集中集合玄関機および集中管理室親機の端末ＩＤにそれぞれ割り当てて記憶するための集中制御機メモリ５０ｅと、集中制御機メモリから読み出される呼出元の端末ＩＤに割り当てられた通話路を確保するための集中制御機ＣＰＵ５０ｆとを備えている。
【００４２】
ここで、集中制御機ＣＰＵ５０ｆは、第１〜第４の通信回路５０ａ〜５０ｄおよび集中制御機メモリ５０ｅに接続され、第１の通信回路５０ａには第１伝送路Ｌ１０を介して第１〜第４の集中集合玄関機６０ａ〜６０ｄが、第２の通信回路５０ｂには第２の伝送路Ｌ２０を介して第１〜第３の集中管理室親機７０ａ〜７０ｃが、第３の通信回路５０ｃには第３の伝送路Ｌ３０を介してＡ棟の棟制御機２０が、第４の通信回路５０ｄには第４の伝送路Ｌ４０を介してＢ棟の棟制御機２０がそれぞれ接続されている。また、各棟の棟制御機２０は、それぞれ、第５伝送路Ｌ５０を介して第１〜第４の棟集合玄関機１０ａ〜１０ｄに、第６の伝送路Ｌ６０を介して第１〜第３の棟管理室親機４０ａ〜４０ｃに、第７の伝送路Ｌ７０を介して第１〜第４の居室親機３ａ〜３ｄにそれぞれ接続されている。
【００４３】
次に、このように構成された本発明の集合住宅インターホンシステムの動作について説明する。
【００４４】
先ず、この実施例においては、図６に示すように、第１の伝送路Ｌ１０には第１、第２の通話路（以下「第１、第２の集中集合玄関機通話路」という。）Ｌ１０ａ、Ｌ１０ｂが、第２の伝送路Ｌ２０には第１、第２の通話路（以下「第１、第２の集中管理室親機通話路」という。）Ｌ２０ａ、Ｌ２０ｂがそれぞれ含まれており、これらの第１、第２の集中集合玄関機通話路Ｌ１０ａ、Ｌ１０ｂおよび第１、第２の集中管理室親機通話路Ｌ２０ａ、Ｌ２０ｂの使用可能な端末は、集中集合玄関機並びに集中管理室親機の端末ＩＤにそれぞれ割り当てられて集中制御機メモリ５０ｅに記憶されている。ここでは、第１、第２の集中集合玄関機通話路Ｌ１０ａ、Ｌ１０ｂは全ての集中集合玄関機６０ａ〜６０ｄが使用できるものとして集中制御機メモリ５０ｅに記憶され、また、第１、第２の集中管理室親機通話路Ｌ２０ａ、Ｌ２０ｂは全ての集中管理室親機７０ａ〜７０ｃが使用できるものとして集中制御機メモリ５０ｅに記憶されている。
【００４５】
次に、Ａ棟の第７の伝送路Ｌ７０には第１、第２の通話路（以下「第１、第２のＡ棟集中居室親機通話路」という。）Ｌ７０ａ、Ｌ７０ｂが含まれており、第１、第２のＡ棟集中居室親機通話路Ｌ７０ａ、Ｌ７０ｂはＡ棟の第１〜第４の居室親機３ａ〜３ｄのみが使用できるものとして割り当てられている。同様に、Ｂ棟の第７の伝送路Ｌ７０にも第１、第２の通話路（以下「第１、第２のＢ棟集中居室親機通話路」という。）Ｌ７０ａ、Ｌ７０ｂが含まれており、第１、第２のＢ棟集中居室親機通話路Ｌ７０ａ、Ｌ７０ｂはＢ棟の第１〜第４の居室親機３ａ〜３ｄのみが使用できるものとして割り当てられている。
【００４６】
このような状態において、第１の来訪者が、例えば第１のＡ棟居住者を呼び出すために、第１の集中集合玄関機６０ａの呼出操作部（不図示）で第１のＡ棟居室番号を選択し、呼出ボタン（不図示）を押下すると、呼出元である第１の集中集合玄関機６０ａの端末ＩＤおよび呼出先である第１のＡ棟居室親機３ａの端末ＩＤを含有する呼出信号(以下「第１のＡ棟集中呼出信号」という。)が第１の伝送路Ｌ１０および第１の通信回路５０ａを介して集中制御機ＣＰＵ５０ｆへ送信される。
【００４７】
かかる第１のＡ棟集中呼出信号が集中制御機ＣＰＵ５０ｆで検出されると、集中制御機メモリ５０ｅから呼出元である第１の集中集合玄関機６０ａの端末ＩＤが読みだされて、図６に示す第１の集中集合玄関機通話路Ｌ１０ａが第１の集中集合玄関機１ａの通話路として確保される。また、これとともに第１のＡ棟集中呼出信号が第３の通信回路５０ｃ、第３の伝送路Ｌ３０、棟制御機２０および第１のＡ棟集中居室親機通話路Ｌ７０ａを介して第１のＡ棟居室親機３ａへ伝送され、かかる第１のＡ棟集中呼出信号が第１のＡ棟居室親機３ａで検出されると、第１のＡ棟居室親機３ａのスピーカ（不図示）から呼出音が放音され、ここで、来訪者からの呼び出しを確認した第１のＡ棟居住者がハンドセット（不図示）などを取上げて応答操作を行なうと、図６および図７に示すように、第１の集中集合玄関機通話路Ｌ１０ａ、集中制御機５０、第３の伝送路Ｌ３０、棟制御機２０および第１のＡ棟集中居室親機通話路Ｌ７０ａを介して第１のＡ棟居室親機３ａの通話機能と第１の集合玄関機６０ａの通話機能との間に通話路(以下「第１のＡ棟集中通話路」という。)が形成される。
【００４８】
次に、第１のＡ棟集中通話路が形成されている状態において、すなわち、第２の集中集合玄関機通話路Ｌ１０ｂが空いている状態において、第２の来訪者が、第２のＡ棟居住者を呼び出すために、第２の集中集合玄関機６０ｂの呼出操作部（不図示）で第２のＡ棟居室番号を選択し、呼出ボタン（不図示）を押下すると、呼出元である第２の集中集合玄関機６０ｂの端末ＩＤおよび呼出先である第２のＡ棟居室親機３ｂの端末ＩＤを含有する呼出信号(以下「第２のＡ棟集中呼出信号」という。)が第１のＡ棟集中呼出信号と同様の経路を経由して集中制御機ＣＰＵ５０ｆへ送信される。
【００４９】
かかる第２のＡ棟集中呼出信号が集中制御機ＣＰＵ５０ｆで検出されると、集中制御機メモリ５０ｅから呼出元である第２の集中集合玄関機６０ｂの端末ＩＤが読みだされて、図６に示す第２の集中集合玄関機通話路Ｌ１０ｂが第２の集中集合玄関機６０ｂの通話路として確保される。また、これとともに第２のＡ棟集中呼出信号が第３の通信回路５０ｃ、第３の伝送路Ｌ３０、棟制御機２０および第２のＡ棟集中居室親機通話路Ｌ７０ｂを介して第２のＡ棟居室親機３ｂへ伝送され、かかる第２のＡ棟集中呼出信号が第２のＡ棟居室親機３ｂで検出されると、第２のＡ棟居室親機３ｂのスピーカ（不図示）から呼出音が放音され、ここで、来訪者からの呼び出しを確認した第２のＡ棟居住者がハンドセット（不図示）などを取上げて応答操作を行なうと、図６および図７に示すように、第２の集中集合玄関機通話路Ｌ１０ｂ、集中制御機５０、第３の伝送路Ｌ３０、棟制御機２０および第２のＡ棟集中居室親機通話路Ｌ７０ｂを介して第２のＡ棟居室親機３ｂの通話機能と第２の集合玄関機６０ｂの通話機能との間に通話路(以下「第２のＡ棟集中通話路」という。)が形成される。
【００５０】
次いで、第１、第２のＡ棟集中通話路が形成されている状態において、すなわち、第１、第２の集中集合玄関機通話路Ｌ１０ａ、Ｌ１０ｂが使用されている状態において、第３の来訪者が、例えば第１のＢ棟居住者を呼び出すために、第３の集合玄関機６０ｃの呼出操作部（不図示）で第１のＢ棟居室番号を選択し、呼出ボタン（不図示）を押下すると、呼出元である第３の集中集合玄関機６０ｃの端末ＩＤおよび呼出先である第１のＢ棟居室親機３ａの端末ＩＤを含有する呼出信号(以下「第１のＢ棟集中呼出信号」という。)が第１の伝送路Ｌ１０および第１の通信回路５０ａを介して集中制御機ＣＰＵ５０ｆへ送信される。
【００５１】
かかる第１のＢ棟集中呼出信号が集中制御機ＣＰＵ５０ｆで検出されると、集中制御機メモリ５０ｅから呼出元である第３の集中集合玄関機６０ｃの端末ＩＤが読みだされるものの、図６に示す第１の集中集合玄関機通話路Ｌ１０ａが第１の集中集合玄関機６０ａの通話路として確保され、また、第２の集中集合玄関機通話路Ｌ１０ｂが第２の集中集合玄関機６０ｂの通話路として確保されているため、図７に示すように、通話路が使用できないことになる。従って、この状態においては、第３の来訪者は第１のＢ棟居住者を呼び出すことができないことになる。
【００５２】
また、第１、第２のＡ棟集中通話路が形成されている状態において、すなわち、第１、第２の集中集合玄関機通話路Ｌ１０ａ、Ｌ１０ｂが使用されている状態において、第４の来訪者が、例えば第２のＢ棟居住者を呼び出すために、第４の集中集合玄関機６０ｄの呼出操作部（不図示）で第２のＢ棟居室番号を選択し、呼出ボタン（不図示）を押下した場合も同様に呼び出すことができない。
【００５３】
一方、第１、第２のＡ棟集中通話路が形成されている状態において、すなわち、第１、第２の集中集合玄関機通話路Ｌ１０ａ、Ｌ１０ｂが使用されている状態において、第１の管理人が、例えば第１のＢ棟居住者を呼び出すために、第１の集中管理室親機７０ａの呼出操作部（不図示）で第１のＢ棟居室番号を選択し、呼出ボタン（不図示）を押下すると、呼出元である第１の集中管理室親機７０ａの端末ＩＤおよび呼出先である第１のＢ棟居室親機３ａの端末ＩＤを含有する呼出信号(以下「第１の集中管理人呼出信号」という。)が第２の伝送路Ｌ２０および第２の通信回路５０ｂを介して集中制御機ＣＰＵ５０ｆへ送信される。
【００５４】
かかる第１の集中管理人呼出信号が集中制御機ＣＰＵ５０ｆで検出されると、集中制御機メモリ５０ｅから呼出元である第１の集中管理室親機７０ａの端末ＩＤが読みだされて、図６に示す第１の集中管理室親機通話路Ｌ２０ａが第１の集中管理室親機７０ａの通話路として確保される。また、これとともに第１の集中管理人呼出信号が第４の通信回路５０ｄ、第４の伝送路Ｌ４０、棟制御機２０および第１のＢ棟集中居室親機通話路Ｌ７０ａを介して第１のＢ棟居室親機３ａへ伝送され、かかる第１の集中管理人呼出信号が第１のＢ棟居室親機３ａで検出されると、第１のＢ棟居室親機３ａのスピーカ（不図示）から呼出音が放音され、ここで、第１の管理人からの呼び出しを確認した第１のＢ棟居住者がハンドセット（不図示）などを取上げて応答操作を行なうと、図６および図７に示すように、集中制御機５０、第４の伝送路Ｌ４０、棟制御機２０および第１のＢ棟集中居室親機通話路Ｌ７０ａを介して第１のＢ棟居室親機３ａの通話機能と第１の集中管理室親機７０ａの通話機能との間に通話路(以下「第１の集中管理室通話路」という。)が形成される。
【００５５】
次に、第１の集中管理室通話路が形成されている状態において、すなわち、第２の集中管理室親機通話路Ｌ２０ｂが空いている状態において、第２の管理人が、例えば第２のＢ棟居住者を呼び出すために、第２の集中管理室親機７０ｂの呼出操作部（不図示）で第２のＢ棟居室番号を選択し、呼出ボタン（不図示）を押下すると、呼出元である第２の集中管理室親機７０ｂの端末ＩＤおよび呼出先である第２のＢ棟居室親機３ｂの端末ＩＤを含有する呼出信号(以下「第２の集中管理人呼出信号」という。)が第１の集中管理人呼出信号と同様の経路を経由して集中制御機ＣＰＵ５０ｆへ送信される。
【００５６】
かかる第２の集中管理人呼出信号が集中制御機ＣＰＵ５０ｆで検出されると、集中制御機メモリ５０ｅから呼出元である第２の集中管理室親機７０ｂの端末ＩＤが読みだされて、図６に示す第２の集中管理室親機通話路Ｌ２０ｂが第２の集中管理室親機７０ｂの通話路として確保される。また、これとともに第２の集中管理人呼出信号が第４の通信回路５０ｄ、第４の伝送路Ｌ４０、棟制御機２０および第２のＢ棟集中居室親機通話路Ｌ７０ｂを介して第２のＢ棟居室親機３ｂへ伝送され、かかる第２の集中管理人呼出信号が第２のＢ棟居室親機３ｂで検出されると、第２のＢ棟居室親機３ｂのスピーカ（不図示）から呼出音が放音され、ここで、第２の管理人からの呼び出しを確認した第２のＢ棟居住者がハンドセット（不図示）などを取上げて応答操作を行なうと、図６および図７に示すように、集中制御機５０、第４の伝送路Ｌ４０、棟制御機２０および第２のＢ棟集中居室親機通話路Ｌ７０ｂを介して第２のＢ棟居室親機３ｂの通話機能と第２の集中管理室親機７０ｂの通話機能との間に通話路(以下「第２の集中管理室通話路」という。)が形成される。
【００５７】
以上のように、本発明の第３の実施例においては、集中管理室親機専用の通話路が確保されていることから、管理人は緊急時において特定の居住者と通話を行なうことができる。
［第４の実施例］
図８は、本発明の第４の実施例における各機器間の通話路の形成状態を示す説明図である。なお、図１〜図７と共通する部分には同一の符号を付して詳細な説明を省略する。
【００５８】
この実施例においては、図８に示すように、第１の伝送路Ｌ１０には第１〜第４の通話路（以下「第１〜第４の集中集合玄関機通話路」という。）Ｌ１０ａ〜Ｌ１０ｄが、第２の伝送路Ｌ２０には第１〜第３の通話路（以下「第１〜第３の集中管理室親機通話路」という。）Ｌ２０ａ〜Ｌ２０ｃがそれぞれ含まれており、第１の集中集合玄関機通話路Ｌ１０ａと第１の集中管理室親機通話路Ｌ２０ａは第１の共通線（不図示）で、第２の集中集合玄関機通話路Ｌ１０ｂと第２の集中管理室親機通話路Ｌ２０ｂは第２の共通線（不図示）で、第３の集中集合玄関機通話路Ｌ１０ｃと第３の集中管理室親機通話路Ｌ２０ｃは第３の共通線（不図示）で、第４の集中集合玄関機通話路Ｌ１０ｄと第４の集中管理室親機通話路Ｌ２０ｄは第４の共通線（不図示）でそれぞれ構成されている。また、これらの第１〜第４の集中集合玄関機通話路Ｌ１０ａ〜Ｌ１０ｄおよび第１〜第４の集中管理室親機通話路Ｌ２０ａ〜Ｌ２０ｄのうち所定の端末が使用する通話路の本数を予め確保するため端末ＩＤと通話路確保数とが関連付けて集中制御機メモリ５０ｅに記憶されている。
【００５９】
ここでは、集中制御機５０は、集中制御機メモリ５０ｅに、例えば、第１〜第３の集中管理室親機７０ａ〜７０ｃ、制御機５０間の通話路確保数を「２」と記憶し、全体として最大４通話路を制御できるものとして構成されている。
【００６０】
このように記憶された状態において、第３の実施例と同様にして、第１の訪問者が第１の集中集合玄関機６０ａで第１のＡ棟居住者を呼び出すと、集中制御機ＣＰＵ５０ｆの制御により、第１〜第４の集中集合玄関機通話路Ｌ１０ａ〜Ｌ１０ｄのうちランダムに一つの通話路（例えば第１の集中集合玄関機通話路Ｌ１０ａ）が塞がれる。ここで、集中制御機５０は、集中制御機メモリ５０ｅに、使用している端末ＩＤ(呼出元の第１の集中集合玄関機６０ａのＩＤおよび呼出先の第１のＡ棟居室親機３ａのＩＤ）とともに使用している通話路情報（第１の集中集合玄関機通話路Ｌ１０ａ）を関連付けて記憶させておく。
【００６１】
同様にして、第２の訪問者が第２の集中集合玄関機６０ｂで第２のＡ棟居住者を呼び出すと、集中制御機ＣＰＵ５０ｆの制御により、第１〜第４の集中集合玄関機通話路Ｌ１０ａ〜Ｌ１０ｄのうちランダムに一つの通話路（例えば第２の集中集合玄関機通話路Ｌ１０ｂ）が塞がれる。ここで、集中制御機５０は、前述と同様に、集中制御機メモリ５０ｅに、使用している端末ＩＤ(呼出元の第２の集中集合玄関機６０ｂのＩＤおよび呼出先の第２のＡ棟居室親機３ｂのＩＤ）とともに使用している通話路情報（第２の集中集合玄関機通話路Ｌ１０ｂ）を関連付けて記憶させておく。
【００６２】
しかしながら、第１、第２の集中集合玄関機６０ａ、６０ｂが第１、第２の集中集合玄関機通話路Ｌ１０ａ、Ｌ１０ｂを使用している間は、第３の訪問者が第３の集中集合玄関機６０ｃで第３のＡ棟居住者を呼び出しても、集中制御機メモリ５０ｅに、第１〜第３の管理室親機７０ａ〜７０ｃ、集中制御機５０間の通話路確保数が「２」と記憶されているので、残りの通話路（第３、第４の集中集合玄関機通話路Ｌ１０ｃ、Ｌ１０ｄ）を使用することができず、ひいては第３の訪問者は第３のＡ棟居住者を呼び出すことができないことになる。なお、この状態においては、第３の訪問者が第４の集中集合玄関機６０ｄで第３のＡ棟居住者を呼び出しても、前述と同様に、第３のＡ棟居住者を呼び出すことができない。
【００６３】
一方、第１、第２の集中集合玄関機６０ａ、６０ｂが第１、第２の集中集合玄関機通話路Ｌ１０ａ、Ｌ１０ｂを使用している状態においても、第１〜第３の集中管理室親機７０ａ〜７０ｃ、集中制御機５０間の通話路が２つ確保されていることから、第１の管理人若しくは第２の管理人は第３の実施例と同様にして、第１、第２の居住者を除く他の居住者を呼び出すことができる。すなわち、第１の管理人が第１の集中管理室親機７０ａで第１のＢ棟居住者を呼び出すと、集中制御機ＣＰＵ５０ｆの制御により、第３、第４の集中管理室親機通話路Ｌ２０ｃ、Ｌ２０ｄのうちランダムに一つの通話路（例えば第３の集中管理室親機通話路Ｌ２０ｃ）が塞がれる。ここで、集中制御機５０は、前述と同様に、集中制御機メモリ５０ｅに、使用している端末ＩＤ(呼出元の第１の集中管理室親機７０ａのＩＤおよび呼出先の第１のＢ棟居室親機３ａのＩＤ）とともに使用している通話路情報（第３の集中管理室親機通話路Ｌ２０ｃ）を関連付けて記憶させておく。
【００６４】
同様にして、第２の管理人が第２の集中管理室親機７０ｂで第２のＢ棟居住者を呼び出すと、集中制御機ＣＰＵ５０ｆの制御により、残りの第４の集中管理室親機通話路Ｌ２０ｄが塞がれる。ここで、集中制御機５０は、前述と同様に、集中制御機メモリ５０ｅに、使用している端末ＩＤ(呼出元の第２の集中管理室親機７０ｂのＩＤおよび呼出先の第２のＢ棟居室親機３ｂのＩＤ）とともに使用している通話路情報（第４の集中管理室親機通話路Ｌ２０ｄ）を関連付けて記憶させておく。
【００６５】
以上のように、第４の実施例においても、集中管理室親機専用の通話路が確保されていることから、管理人は緊急時において特定の居住者と通話を行なうことができる。
［第５の実施例］
図９は、本発明の第５の実施例における集合住宅インターホンシステムのシステム構成図である。なお、同図において、図１〜図８と共通する部分には同一の符号を付して詳細な説明を省略する。
【００６６】
この実施例においては、図６〜図８に示す第７の伝送路Ｌ７０に代えて第８の伝送路Ｌ８０が接続されている。ここで、Ａ棟の第８の伝送路Ｌ８０には第１〜第４の通話路（以下「第１〜第４のＡ棟居室親機通話路」という。）Ｌ８０ａ〜Ｌ８０ｄが含まれており、第１〜第４のＡ棟居室親機通話路Ｌ８０ａ〜Ｌ８０ｄはＡ棟の第１〜第４の居室親機３ａ〜３ｄのみが使用できるものとして割り当てられている。また、Ｂ棟の第８の伝送路Ｌ８０にも第１〜第４の通話路（以下「第１〜第４のＢ棟居室親機通話路」という。）Ｌ８０ａ〜Ｌ８０ｄが含まれており、第１〜第４のＢ棟居室親機通話路Ｌ８０ａ〜Ｌ８０ｄはＢ棟の第１〜第４の居室親機３ａ〜３ｄのみが使用できるものとして割り当てられている。
【００６７】
この実施例においては、居室親機および集中制御機間に形成される通話路数が、集中集合玄関機および集中制御機間、集中管理室親機および集中制御機間に形成される通話路数と等数とされていることから、例えば第１、第２の集中集合玄関機６０ａ、６０ｂで第１、第２のＡ棟居住者を呼び出している状態においても、第１の管理人（若しくは第２の管理人）は第１、第２のＡ棟居住者を除くＡ棟の他の居住者（例えば第３のＡ棟居住者）を呼び出すことができる。同様に、例えば例えば第１、第２の集中集合玄関機６０ａ、６０ｂで第１、第２のＢ棟居住者を呼び出している状態においても、第１の管理人（若しくは第２の管理人）は第１、第２のＢ棟居住者を除くＢ棟の他の居住者（例えば第３のＢ棟居住者）を呼び出すことができる。
【産業上の利用可能性】
【００６８】
本発明は、特許請求の範囲内で、次のように、変更、修正を加えることができる。
【００６９】
第１に、前述の実施例においては、集合玄関機および制御機間に形成される通話路、管理室親機および制御機間に形成される通話路、集中集合玄関機および集中制御機間に形成される通話路、集中管理室親機および集中制御機間に形成される通話路がそれぞれ２通話路の場合について説明しているが、それぞれ３通話路以上としてもよい。
【００７０】
第２に、前述の実施例においては、居室親機および集中制御機間に形成される通話路数が、集中集合玄関機および集中制御機間、集中管理室親機および集中制御機間に形成される通話路数と等しくした場合について説明しているが、両者の通話路数は異ならせてもよい。
【００７１】
第３に、前述の実施例においては、４台の集合玄関機、棟集合玄関機、居室親機、集中集合玄関機、３台の管理室親機、集中管理室親機、１台乃至２台の制御機、棟制御機、集中制御機について説明しているが、これらの機器の台数はシステムの規模に応じて適宜増減することができる。
【図面の簡単な説明】
【００７２】
【図１】本発明の第１の実施例における集合住宅インターホンシステムのシステム構成図。
【図２】本発明の第１の実施例における各機器間の通話路の形成状態を示す説明図。
【図３】本発明の第１の実施例における居室親機の呼出状況を示す説明図。
【図４】本発明の第２の実施例における各機器間の通話路の形成状態を示す説明図。
【図５】本発明の第３の実施例における集合住宅インターホンシステムのシステム構成図。
【図６】本発明の第３の実施例における各機器間の通話路の形成状態を示す説明図。
【図７】本発明の第３の実施例における各機器間の通話路の形成状態を示す説明図。
【図８】本発明の第４の実施例における各機器間の通話路の形成状態を示す説明図。
【図９】本発明の第５の実施例における各機器間の通話路の形成状態を示す説明図。
【符号の説明】
【００７３】
１ａ、１ｂ、１ｃ、１ｄ・・・集合玄関機
３ａ、３ｂ・・・居室親機
４ａ、４ｂ・・・管理室親機
２・・・制御機
２ｅ・・・制御機メモリ
２ｆ・・・制御機ＣＰＵ
１０ａ、１０ｂ、１０ｃ、１０ｄ・・・棟集合玄関機
２０・・・棟制御機
４０ａ、４０ｂ・・・棟管理室親機
５０・・・集中制御機  
５０ｅ・・・集中制御機メモリ
５０ｆ・・・集中制御機ＣＰＵ
６０ａ、６０ｂ、・・・集中集合玄関機
７０ａ、７０ｂ、・・・集中管理室親機
Ｌ１ａ・・・通話路（第１の集合玄関機通話路）
Ｌ１ｂ・・・通話路（第２の集合玄関機通話路）
Ｌ２ａ・・・通話路（第１の集中管理室親機通話路）
Ｌ２ｂ・・・通話路（第２の集中管理室親機通話路）
Ｌ１０ａ・・・通話路（第１の集中集合玄関機通話路）
Ｌ１０ｂ・・・通話路（第２の集中集合玄関機通話路）
Ｌ２０ａ・・・通話路（第１の集中管理室親機通話路）
Ｌ２０ｂ・・・通話路（第２の集中管理室親機通話路）
【図１】
2006253954.tif 000003
【図２】
2006253954.tif 000004
【図３】
2006253954.tif 000005
【図４】
2006253954.tif 000006
【図５】
2006253954.tif 000007
【図６】
2006253954.tif 000008
【図７】
2006253954.tif 000009
【図８】
2006253954.tif 000010
【図９】
2006253954.tif 000011